(57)【要約】【課題】押圧操作体の位置を切り替え可能な位置切替機構を組み込む場合に、設計上の自由度の向上を図れる操作装置を提供する。【解決手段】押圧操作を受けてＸ方向に可動な押圧操作体と、押圧操作体が押圧操作を受ける毎に、Ｘ方向での位置を切り替え可能に押圧操作体を保持する位置切替機構６２と、押圧操作体が押圧される押圧方向での押圧操作体の動きに連動して移動可能な移動体７８と、押圧操作体の押圧方向での動きに連動した移動体７８の移動方向とは反対方向に移動体７８を付勢可能な第１付勢部材６６と、を備え、移動体７８は、押圧操作体が押圧操作を受けていない状態のとき、位置切替機構６２により保持される押圧操作体の保持位置によらず、第１付勢部材６６によりＸ方向において定位置に保持される。【選択図】図４
2019173438.tif 000002
【特許請求の範囲】
【請求項１】
水栓装置に用いられる操作装置であって、
押圧操作を受けて第１方向に可動な押圧操作体と、
前記押圧操作体が押圧操作を受ける毎に、前記第１方向での位置を切り替え可能に前記押圧操作体を保持する位置切替機構と、
前記押圧操作体が押圧される押圧方向での前記押圧操作体の動きに連動して移動可能な移動体と、
前記押圧操作体の前記押圧方向での動きに連動した前記移動体の移動方向とは反対側に前記移動体を付勢可能な第１付勢部材と、を備え、
前記移動体は、前記押圧操作体が押圧操作を受けていない状態のとき、前記位置切替機構により保持される前記押圧操作体の保持位置によらず、前記第１付勢部材により前記第１方向において定位置に保持される操作装置。
【請求項２】
前記移動体は、可動弁体を有し、
本操作装置は、前記可動弁体が着座可能な固定弁体を備え、
前記定位置は、前記可動弁体が前記固定弁体に着座する位置である請求項１に記載の操作装置。
【請求項３】
前記可動弁体は、自らが回転することによって、前記水栓装置の動作状態を変更可能であり、
前記位置切替機構は、前記押圧操作体が押圧操作を受ける毎に、前記固定弁体から離れる方向に移動させてから前記可動弁体を回転させることが可能である請求項２に記載の操作装置。
【請求項４】
回転操作を受けて回転可能な回転操作体を備え、
前記押圧操作体は、前記回転操作体の内部空間を前記回転操作体の回転軸方向の片側から覆う位置に設けられる請求項１から３のいずれかに記載の操作装置。
【請求項５】
前記回転操作体が設けられる筒状部を有する装置本体を備え、
前記押圧操作体は、前記押圧操作を受けて前記第１方向に動くことによって、前記水栓装置の動作状態を変更させることが可能であり、
前記回転操作体は、前記回転操作を受けて回転することによって、前記水栓装置の動作状態を変更させることが可能であり、
前記回転操作体及び前記筒状部の一方は、前記回転操作体により変更可能な前記水栓装置の動作状態を表示する状態表示部を有し、
前記回転操作体及び前記筒状部の他方は、前記状態表示部と協働して、前記回転操作体により選択されている前記水栓装置の動作状態を特定するための状態特定部を有する請求項４に記載の操作装置。
【請求項６】
前記位置切替機構の構成部品と前記移動体の前記第１方向での相対位置は、前記押圧操作体の前記第１方向での保持位置に応じて変化する請求項１から５のいずれかに記載の操作装置。
【請求項７】
前記位置切替機構は、前記押圧操作体の保持位置を３段階以上に切り替え可能である請求項１から６のいずれかに記載の操作装置。
【請求項８】
前記移動体の押圧方向側の一部を収容する第１収容部と、前記押圧方向とは反対側の反押圧方向側の前記移動体の一部を収容する第２収容部と、を有する装置本体を備え、
前記第１付勢部材は、前記第１収容部内に配置される請求項１から７のいずれかに記載の操作装置。
【請求項９】
請求項１から８のいずれかに記載の操作装置を備える水栓装置。
【発明の詳細な説明】
【技術分野】
【０００１】
本発明は、水栓装置に用いられる操作装置に関する。
【背景技術】
【０００２】
特許文献１には、水栓装置に用いられるボタン機構が記載されている。このボタン機構には、押しボタンが押圧操作を受ける毎に、押しボタンの位置を第１位置と第２位置とに切り替え可能に保持する位置切替機構が組み込まれている。
【先行技術文献】
【特許文献】
【０００３】
【特許文献１】特開２０１４−６２４２４号公報
【発明の概要】
【発明が解決しようとする課題】
【０００４】
特許文献１のボタン機構では、押圧操作体（押しボタン）が押圧される押圧方向での押圧操作体の動きに連動して、位置切替機構の構成部品である切替部材と一体的に軸部材が移動可能である。この軸部材は、位置切替機構により保持される押しボタンの保持位置に応じて変化する。本発明者は、このような位置切替機構を操作装置に組み込むうえで、設計上の自由度を高める観点から、改善の余地があるとの認識を得た。
【０００５】
本発明のある態様は、このような課題に鑑みてなされ、その目的の１つは、押圧操作体の位置を切り替え可能な位置切替機構を組み込む場合に、設計上の自由度の向上を図れる操作装置を提供することにある。
【課題を解決するための手段】
【０００６】
前述の課題を解決するための本発明の第１態様は操作装置である。第１態様の操作装置は、水栓装置に用いられる操作装置であって、押圧操作を受けて第１方向に可動な押圧操作体と、前記押圧操作体が押圧操作を受ける毎に、前記第１方向での位置を切り替え可能に前記押圧操作体を保持する位置切替機構と、前記押圧操作体が押圧される押圧方向での前記押圧操作体の動きに連動して移動可能な移動体と、前記押圧操作体の前記押圧方向での動きに連動した前記移動体の移動方向とは反対側に付勢可能な第１付勢部材と、を備え、前記移動体は、前記押圧操作体が押圧操作を受けていない状態のとき、前記位置切替機構により保持される前記押圧操作体の保持位置によらず、前記第１付勢部材により前記第１方向において定位置に保持される。
【０００７】
第１態様によれば、押圧操作体の保持位置を切り替え可能な位置切替機構を操作装置に組み込む場合に、押圧操作体の保持位置によらず移動体を定位置に保持できるようになるため、設計上の自由度の向上を図れる。
【図面の簡単な説明】
【０００８】
【図１】第１実施形態の水栓装置を示す斜視図である。
【図２】第１実施形態の水栓装置の設置状態を示す平面図である。
【図３】第１実施形態の水栓装置の一部の側面断面図である。
【図４】図３の拡大図である。
【図５】第１実施形態の給水路の一部を模式的に示す説明図である。
【図６】図４の一部の拡大図である。
【図７】図４の他の一部の拡大図である。
【図８】図７の内部本体部品のＡ−Ａ線断面図である。
【図９】図７の可動弁体、内部本体部品及びシャフトのＡ−Ａ線断面図である。
【図１０】図９の可動弁体及びシャフトのＢ−Ｂ線断面図である。
【図１１】図９の可動弁体及びシャフトのＣ−Ｃ線断面図である。
【図１２】図４の状態から押しボタンの保持位置が変化した状態を示す図である。
【図１３】第１実施形態の位置切替機構の一部の構成部品の分解図である。
【図１４】第１実施形態の受け部材の斜視断面図である。
【図１５】第１実施形態の受け部材の内周面の一部を平面上に展開した模式図である。
【図１６】図６のＤ−Ｄ線断面の一部を示す図である。
【図１７】第１実施形態の位置保持機構の動作を示す説明図である。
【図１８】第１実施形態の押しボタンが押圧操作を受けている途中状態を示す図である。
【図１９】第１実施形態の回転ハンドルの動作の説明図である。
【図２０】第１実施形態の押しボタンの動作の説明図である。
【図２１】第１実施形態の押しボタンの保持位置と水栓装置の動作状態との関係を示す図である。
【図２２】第１実施形態の回転ハンドルの保持位置と水栓装置の動作状態との関係を示す図である。
【図２３】第２実施形態の位置切替機構の一部を図１５と同じ視点から見た図である。
【図２４】第３実施形態の位置切替機構の一部を図１５と同じ視点から見た図である。
【図２５】第４実施形態の押しボタンを図２１と同じ視点から見た図である。
【発明を実施するための形態】
【０００９】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。本明細書での「接触」とは、特に明示がない限り、言及している二者が直接的に接触する場合の他に、他の部材を介して間接的に接触する場合も含む。
【００１０】
（第１の実施の形態）
図１は、第１実施形態の操作装置１０が用いられる水栓装置１２を示す斜視図である。水栓装置１２は、水栓装置１２の構成部品を収容する水栓本体１４と、下向きに水を吐き出し可能な吐水部１６とを備える。水栓本体１４は、先端側部分に吐水部１６が設けられたスパウト部１８を有する。水栓装置１２は、ユーザにより操作される操作部材２０と、操作部材２０に対する操作を通じて吐水部１６から吐き出される水の流量を調整可能な弁ユニット２２とを備える。本実施形態において、操作部材２０はシングルレバーであり、弁ユニット２２は操作部材２０に対する操作を通じて水の温度も調整可能である。
【００１１】
図２は、水栓装置１２の設置状態を示す平面図である。水栓装置１２の水栓本体１４は、たとえば、流し台、洗面台、洗面キャビネット等の基体２４に設置される。本実施形態の基体２４は、正面側（図２の下側）に居るユーザの作業に用いられるカウンター２６と、カウンター２６に一体化された水受槽２８と、を備える。水受槽２８は、たとえば、キッチンシンク、洗面ボウル等である。
【００１２】
図３は、水栓装置１２の一部の側面断面図である。図４は、図３の拡大図である。本実施形態の水栓本体１４は、スパウト部１８を構成する外部本体部品４３及び内部本体部品４４を有する。本実施形態の外部本体部品４３は、第１筒状部４３ａと、第１筒状部４３ａの外周部から突出する第２筒状部４３ｂとを有する。第２筒状部４３ｂには吐水部１６が設けられる。本実施形態の吐水部１６は、水栓本体１４とは別体であり、第２筒状部４３ｂ内に配置される吐水部材が構成する。内部本体部品４４は、外部本体部品４３の第１筒状部４３ａに収容される。内部本体部品４４は、基端側の筒状の第１本体部材４６と、先端側の第２本体部材４８とを有する。第１本体部材４６にはカートリッジ３４が収容される。
【００１３】
吐水部１６は、複数の異なる吐水態様で水を吐き出し可能である。この吐水態様には、第１吐水態様としての、単数の水流を吐き出すストレート吐水と、第２吐水態様としての、シャワー状の複数の水流を吐き出すシャワー吐水とが含まれる。吐水部１６は、第１吐水態様で水を吐き出すためのストレート吐水穴１６ａ（第１吐水穴）と、第２吐水態様で水を吐き出すための複数のシャワー吐水穴１６ｂ（第２吐水穴）とを有する。
【００１４】
図５は、水栓本体１４の内部に形成される給水路３０の一部を模式的に示す説明図である。給水路３０は、水源側から弁ユニット２２を通して送られる水を吐水部１６に供給するためのものである。給水路３０は、弁ユニット２２により流量の調整された水が供給される上流側水路３０Ａ、３０Ｂと、上流側水路３０Ａ、３０Ｂから水が供給される下流側水路３２Ａ、３２Ｂとを有する。
【００１５】
本実施形態の上流側水路３０Ａ、３０Ｂには、下流側水路３２Ａ、３２Ｂに原水を供給するための原水水路３０Ａ（第１上流側水路）と、下流側水路３２Ａ、３２Ｂに改質水を供給するための改質水水路３０Ｂ（第２上流側水路）とが含まれる。改質水は、カートリッジ３４内の改質材により原水を改質することで生成される。本実施形態のカートリッジ３４は、水栓本体１４のスパウト部１８内に収容される。本明細書での「改質」とは、物理変化や化学変化を経て、特定の成分を原水から除去又は原水に付与することをいう。本実施形態の改質材は活性炭であり、原水の残留塩素の除去により改質水として浄水を生成する。
【００１６】
本実施形態の下流側水路３２Ａ、３２Ｂには、ストレート吐水穴１６ａに水を供給するためのストレート用水路３２Ａ（第１下流側水路）と、シャワー吐水穴１６ｂに水を供給するためのシャワー用水路３２Ｂ（第２下流側水路）とが含まれる。
【００１７】
給水路３０には、上流側水路３０Ａ、３０Ｂと下流側水路３２Ａ、３２Ｂの間に可動弁体３６が設けられる。本実施形態の可動弁体３６は、複数の上流側水路３０Ａ、３０Ｂのなかからいずれかの上流側水路３０Ａ、３０Ｂに、水が流れる通水経路を切り替え可能である。また、本実施形態の可動弁体３６は、複数の下流側水路３２Ａ、３２Ｂのなかからいずれかの下流側水路３２Ａ、３２Ｂに、水が流れる通水経路を切り替え可能である。
【００１８】
図４に戻り、水栓装置１２は、水栓装置１２の動作状態を変更するための操作装置１０を備える。操作装置１０は、回転操作を受けて回転可能な回転ハンドル３８（回転操作体）と、押圧操作を受けてＸ方向に可動な押しボタン４０（押圧操作体）と、を備える。Ｘ方向は、押しボタン４０が押圧操作を受けたときに押しボタン４０が押圧される押圧方向Ｘｐと平行な方向である。Ｘ方向は、回転ハンドル３８の回転軸方向でもある。以下、Ｘ方向の押圧方向Ｘｐを基端側ともいい、Ｘ方向で押圧方向Ｘｐとは反対側の反押圧方向Ｘｏを先端側ともいう。また、Ｘ方向の方向軸を中心とする円の円周方向、半径方向を単に「周方向」、「径方向」ともいう。
【００１９】
操作装置１０は、操作装置１０の構成部品を収容する装置本体４２を備える。本実施形態の装置本体４２は、水栓本体１４が兼ねている。
【００２０】
第２本体部材４８は、基端側の弁体収容部４８ａ（第１収容部）と、先端側の機構収容部４８ｂ（第２収容部）と、弁体収容部４８ａと機構収容部４８ｂの間に設けられる水路形成部４８ｃとを有する。弁体収容部４８ａは、基端側に向かって開くとともに先端側に底部を有する有底筒状をなす。機構収容部４８ｂは、先端側に向かって開くとともに基端側に底部を有する有底筒状をなす。水路形成部４８ｃには、水路形成部４８ｃをＸ方向に貫通する貫通孔４８ｄと、前述の複数の下流側水路３２Ａ、３２Ｂとが形成される。本図では、単数の下流側水路３２Ａの通水方向のみ示す。
【００２１】
図６は、図４の一部の拡大図である。回転ハンドル３８は、後述の受け部材６８を介して装置本体４２に回転可能に支持される。回転ハンドル３８の外周面には、ユーザの操作性を高めるために、他の箇所より摩擦抵抗を大きくするための滑り止め構造が設けられる。本実施形態の滑り止め構造は微小な凹凸構造である。
【００２２】
押しボタン４０は、後述の受け部材６８を介して装置本体４２にＸ方向に移動可能に支持される。押しボタン４０は、装置本体４２の第１筒状部４３ａの内部空間を外側から覆う位置に設けられる。押しボタン４０は、回転ハンドル３８の内部空間３８ａを反押圧方向Ｘｏから覆う位置にも設けられる。本実施形態の押しボタン４０は、回転ハンドル３８とは別体であり、回転ハンドル３８と独立して動作可能である。押しボタン４０は、ユーザによる押圧操作を受ける円盤状の端面部４０ａと、端面部４０ａから基端側に延びる筒状の中空軸部４０ｂとを有する。
【００２３】
図７は、図４の他の一部の拡大図である。操作装置１０は、可動弁体３６と、可動弁体３６が着座可能な固定弁体５０とを備える。本実施形態の可動弁体３６は、Ｘ方向の方向軸周りに回転する回転弁体でもある。可動弁体３６は、装置本体４２の弁体収容部４８ａに収容される。本実施形態の固定弁体５０は、第２本体部材４８の弁体収容部４８ａの底面部が構成する。
【００２４】
可動弁体３６は、固定弁体５０とＸ方向に対向する弁体対向部３６ａと、弁体対向部３６ａから基端側に延びる弁軸部３６ｂとを有する。本実施形態の可動弁体３６は、弁体対向部３６ａの一部と他の部位を構成する本体部材５２と、弁体対向部３６ａの一部を構成するとともに本体部材５２と一体化されたシール部材５４とを有する。シール部材５４は、ゴム等の弾性体が構成している。
【００２５】
本実施形態の弁軸部３６ｂは、基端側に向かって開くとともに先端側に底部を有する有底筒状をなす。弁軸部３６ｂの外部には、装置本体４２との間に原水水路３０Ａの一部が形成される。弁軸部３６ｂの内部には、改質水水路３０Ｂの一部が形成される。
【００２６】
図８は、図７の内部本体部品４４のＡ−Ａ線断面図である。可動弁体３６が着座する固定弁体５０の座面には複数の弁孔５６Ａ、５６Ｂが開口する。複数の弁孔５６Ａ、５６Ｂには、ストレート用水路３２Ａの上流側端部が構成するストレート用弁孔５６Ａ（第１下流側水路用弁孔）と、シャワー用水路３２Ｂの上流側端部が構成するシャワー用弁孔５６Ｂ（第２下流側水路用弁孔）とが含まれる。
【００２７】
図９は、図７の可動弁体３６、内部本体部品４４及びシャフト６４のＡ−Ａ線断面図である。本図では可動弁体３６のハッチングを省略する。図１０は、図９の可動弁体３６及びシャフト６４のＢ−Ｂ線断面図である。図１１は、図９の可動弁体３６及びシャフト６４のＣ−Ｃ線断面図である。本実施形態の可動弁体３６の弁体対向部３６ａは円盤状をなす。弁体対向部３６ａには、複数の上流側水路３０Ａ、３０Ｂに個別に連通する複数種の通水孔５８Ａ、５８Ｂが形成される。複数種の通水孔５８Ａ、５８Ｂには、原水水路３０Ａに連通する原水通水孔５８Ａ（第１通水孔）と、改質水水路３０Ｂに連通する改質水通水孔５８Ｂ（第２通水孔）とが含まれる。複数種の通水孔５８Ａ、５８Ｂは、所定の並び順で周方向に並べられる。本実施形態での並び順は原水通水孔５８Ａと改質水通水孔５８Ｂが交互に位置することである。本実施形態の原水通水孔５８Ａは合計２つ形成され、改質水通水孔５８Ｂは合計２つ形成される。
【００２８】
弁体対向部３６ａは、弁孔５６Ａ、５６ＢとＸ方向に重なる位置に通水孔５８Ａ、５８Ｂが配置されるとき、その弁孔５６Ａ、５６Ｂを開く。このとき、弁孔５６Ａ、５６Ｂが構成する下流側水路３２Ａ、３２Ｂと、通水孔５８Ａ、５８Ｂに連通される上流側水路３０Ａ、３０Ｂとが連通される。弁体対向部３６ａは、弁孔５６Ａ、５６ＢとＸ方向に重なる位置に通水孔５８Ａ、５８Ｂ以外の箇所が配置されるとき、その弁孔５６Ａ、５６Ｂを閉じる。図９では、ストレート用弁孔５６Ａが開き、シャワー用弁孔５６Ｂが閉じている状態を示す。可動弁体３６は、自らが回転することによって弁孔５６Ａ、５６Ｂを開閉可能である。
【００２９】
図７に戻り、弁体対向部３６ａは、固定弁体５０に着座するシール面３６ｃを有する。本実施形態のシール面３６ｃはシール部材５４が構成している。可動弁体３６のシール面３６ｃが固定弁体５０に着座することで、可動弁体３６と固定弁体５０の間がシールされ、可動弁体３６が閉じている弁孔５６Ａ、５６Ｂと通水孔５８Ａ、５８Ｂとの間の連通が断たれる。
【００３０】
図４に戻り、操作装置１０は、押しボタン４０のＸ方向での動きに連動して、可動弁体３６を作動させることが可能な連動機構６０を備える。本実施形態の連動機構６０は、回転ハンドル３８の回転にも連動して、可動弁体３６を作動させることが可能である。連動機構６０は、位置切替機構６２と、シャフト６４と、第１付勢部材６６と、を備える。
【００３１】
図１２は、図４の状態から押しボタン４０の保持位置が変化した状態を示す図である。図４、図１２に示すように、位置切替機構６２は、押しボタン４０が押圧操作を受ける毎に、押しボタン４０のＸ方向での位置を切り替え可能に押しボタン４０を保持する。本実施形態の位置切替機構６２は、スラストロック機構である。位置切替機構６２により押しボタン４０が保持される位置を保持位置という。
【００３２】
図１３は、位置切替機構６２の一部の構成部品の分解図である。位置切替機構６２は、図６、図１３に示すように、受け部材６８と、回転子７０と、運動変換機構（不図示）と、第２付勢部材７２と、を有する。
【００３３】
受け部材６８は、全体として筒状をなす。受け部材６８は、装置本体４２の機構収容部４８ｂに先端側から基端側に向けて差し込まれている。受け部材６８は、留め輪等の留め具を用いて、機構収容部４８ｂからの反押圧方向Ｘｏへの離脱が規制されるように装置本体４２に取り付けられる。受け部材６８は、機構収容部４８ｂの外周壁部に対する摺動を伴い、装置本体４２に回転可能に支持される。
【００３４】
受け部材６８は、回転ハンドル３８を受け部材６８に着脱可能に取り付けるための取付部６８ａを有する。本実施形態の取付部６８ａは、スナップフィット方式によって、回転ハンドル３８を受け部材６８に着脱可能に取り付ける弾性爪である。回転ハンドル３８は、受け部材６８に対して、一体的に回転可能、かつ、Ｘ方向に相対移動不能に取り付けられる。
【００３５】
図１４は、受け部材６８の斜視断面図である。図１５は、受け部材６８の内周面の一部を平面上に展開した模式図である。図１５（ａ）は、回転子７０が回転規制位置にある状態を示し、図１５（ｂ）は、回転子７０が規制解除位置にある状態を示す。
【００３６】
受け部材６８の内周面部にはカム部６８ｂが設けられる。本実施形態のカム部６８ｂは、受け部材６８の内周面から径方向に突き出る突起部であり、周方向に間を空けて複数設けられる。複数のカム部６８ｂの間には基端側に向かって開放する複数のカム溝６８ｃが形成される。
【００３７】
受け部材６８の内周面部には複数のガイド溝６８ｄが形成される。押しボタン４０の中空軸部４０ｂにはガイド溝６８ｄに嵌め込まれる凸状の被ガイド部４０ｃが形成される（図１３参照）。押しボタン４０は、ガイド溝６８ｄに対する被ガイド部４０ｃの摺動を伴いガイド溝６８ｄによりＸ方向に移動可能にガイドされる。押しボタン４０は、ガイド溝６８ｄに対する被ガイド部４０ｃの接触によって、受け部材６８と一体的に回転可能に設けられる。
【００３８】
図６、図１３に示すように、回転子７０は、全体としてＸ方向に延びる軸体である。回転子７０は、受け部材６８の内側に挿通される。回転子７０は、受け部材６８の内周面に対する摺動を伴い、Ｘ方向に移動可能に受け部材６８に支持される。回転子７０は、有底筒状の回転軸部７０ａと、回転軸部７０ａの基端側端部から径方向外側に張り出す張出部７０ｂとを有する。回転軸部７０ａは、押しボタン４０の中空軸部４０ｂ内に基端側から差し込まれる。回転軸部７０ａは、中空軸部４０ｂに対して、Ｘ方向に相対移動可能、かつ、相対回転可能に設けられる。
【００３９】
図１６は、図６のＤ−Ｄ線断面の一部を示す図である。図１２、図１５、図１６に示すように、回転子７０の張出部７０ｂには外周面から径方向外側に突き出る被規制部７０ｃが設けられる。本図では、回転子７０は、受け部材６８のカム溝６８ｃ内に被規制部７０ｃが配置される例を示す。受け部材６８のカム部６８ｂは、回転子７０の周方向両側への回転を規制するための回転規制凹部７４Ａ、７４Ｂを有する。本実施形態の回転規制凹部７４Ａ、７４Ｂは、カム溝６８ｃが構成している。回転規制凹部７４Ａ、７４Ｂは、周方向に所定の第２角度θ２を空けた箇所に位置するように複数設けられる。本実施形態の回転規制凹部７４Ａ、７４Ｂには、基端側の入口から先端側の底部までの深さが第１深さである第１回転規制凹部７４Ａと、第１深さより大きい深さの第２回転規制凹部７４Ｂとが含まれる。
【００４０】
回転子７０は、その被規制部７０ｃが回転規制凹部７４Ａ、７４Ｂと周方向に重なる回転規制位置（図１５（ａ）の位置）と、その被規制部７０ｃが回転規制凹部７４Ａ、７４Ｂと周方向に重ならない規制解除位置（図１５（ｂ）の位置）との間を移動可能である。回転子７０は、回転規制位置に配置されるとき、回転規制凹部７４Ａ、７４Ｂの内側面と被規制部７０ｃとの接触によって回転が規制される。回転子７０は、規制解除位置に配置されるとき、回転規制凹部７４Ａ、７４Ｂによる回転の規制が解除されることで回転可能となる。
【００４１】
運動変換機構７６は、押しボタン４０の押圧方向Ｘｐでの動きを回転子７０の回転に変換可能である。本実施形態の運動変換機構７６はカム機構である。運動変換機構７６は、図１３〜図１５に示すように、押しボタン４０の中空軸部４０ｂの基端側の端面に形成された内カム面７６ａと、受け部材６８のカム部６８ｂの基端側の端面に形成された外カム面７６ｂと、回転子７０の張出部７０ｂの先端側の端面に形成されたカム受け面７６ｃとを有する。
【００４２】
内カム面７６ａは、複数の傾斜面を組み合わせて、Ｘ方向に高低差のある凹凸が周方向に交互に並ぶように形成される。外カム面７６ｂは、周方向の一方側（以下、正転方向Ｐｒという）に向かうにつれて先端側に向かうように傾斜する傾斜面である。カム受け面７６ｃは、正転方向Ｐｒに向かうにつれて先端側に向かうように傾斜する傾斜面である。カム受け面７６ｃは、内カム面７６ａ及び外カム面７６ｂの両方とＸ方向に対向する位置に設けられる。
【００４３】
図６に示すように、第２付勢部材７２は、回転子７０を反押圧方向Ｘｏに付勢可能である。本実施形態の第２付勢部材７２は、弾性体の一例となるコイルスプリングであり、回転子７０とシャフト６４の間に配置される。本実施形態の第２付勢部材７２は、回転子７０の回転軸部７０ａ内に収容される。第２付勢部材７２の先端側の端部は、回転軸部７０ａの内底面に形成された突部の外側に嵌められ、その内底面に座している。第２付勢部材７２の基端側の端部は、シャフト６４の小径部６４ａの外側に嵌められ、小径部６４ａの基端側に形成された段差面に座している。
【００４４】
図４、図６に示すように、シャフト６４は、回転ハンドル３８や押しボタン４０に連動する位置切替機構６２の構成部品（回転子７０）の動きを、可動弁体３６に伝達する伝達部材の一例となる。シャフト６４は、装置本体４２の貫通孔４８ｄに挿通される。シャフト６４の基端側の端部は、可動弁体３６と一体的に回転可能、かつ、可動弁体３６と一体的にＸ方向に移動可能に設けられる。シャフト６４と可動弁体３６は、押しボタン４０の押圧方向Ｘｐでの動きに連動して、回転子７０と一体的に移動可能な移動体７８を構成している。この移動体７８は、基端側の一部が装置本体４２の弁体収容部４８ａに収容され、先端側の一部が装置本体４２の機構収容部４８ｂに収容される。本実施形態の移動体７８は、押しボタン４０の押圧方向Ｘｐでの動きに連動して押圧方向Ｘｐに移動可能である。
【００４５】
シャフト６４は、先端側の端部を構成する小径部６４ａと、小径部６４ａより基端側に設けられるとともに小径部６４ａより外径が大きい大径部６４ｂとを有する。大径部６４ｂは、回転子７０の回転軸部７０ａの内側に嵌め込まれる嵌込部６４ｃを有する。シャフト６４の嵌込部６４ｃと回転子７０の断面形状は、回転子７０とシャフト６４の間で回転を伝達可能な形状に設定される（図１６も参照）。これにより、シャフト６４は、回転子７０と一体的に回転可能に設けられる。また、シャフト６４は、回転子７０に対してＸ方向で互いに離れる方向に相対移動可能に設けられる。
【００４６】
第１付勢部材６６は、押しボタン４０の押圧方向での動きに連動した移動体７８の移動方向とは反対側に移動体７８を付勢可能である。ここでの「移動体７８の移動方向」とは、本実施形態では押圧方向Ｘｐである。本実施形態の第１付勢部材６６は、弾性体の一例となるコイルスプリングである。第１付勢部材６６は、装置本体４２の弁体収容部４８ａに収容され、可動弁体３６の弁体対向部３６ａとカートリッジ３４の間に配置される。
【００４７】
以上の操作装置１０の動作を説明する。図１７は、位置切替機構６２の動作を示す説明図である。図１７（ａ）に示すように、押しボタン４０が押圧操作を受けていないとき、回転子７０は、第２付勢部材７２により反押圧方向Ｘｏに付勢されることで回転規制位置に保持され、受け部材６８に対する相対回転が規制される。このとき、本実施形態の回転子７０は、複数の回転規制凹部７４Ａ、７４Ｂのうちのいずれかの回転規制凹部７４Ａ、７４Ｂ内に配置される。
【００４８】
このとき、受け部材６８に対する回転子７０の相対回転が規制されるため、回転ハンドル３８が回転すると、回転ハンドル３８と一体的に受け部材６８、回転子７０、シャフト６４及び可動弁体３６が回転する。連動機構６０は、回転ハンドル３８の回転に連動して、回転ハンドル３８の回転量に応じた回転量で可動弁体３６を回転させることになる。
【００４９】
押しボタン４０が押圧操作を受けると、押しボタン４０により回転子７０が押圧方向Ｘｐに動かされる。このとき、図１７（ｂ）に示すように、押しボタン４０の内カム面７６ａがカム受け面７６ｃに接触した状態で、第１付勢部材６６や第２付勢部材７２の付勢力に抗して、回転子７０が押圧方向Ｘｐに動かされる。回転子７０が押圧方向Ｘｐに動くと、回転子７０が回転規制位置から規制解除位置に移動する。回転子７０が規制解除位置まで移動すると、第１付勢部材６６及び第２付勢部材７２の付勢力により、回転子７０のカム受け面７６ｃが押しボタン４０の内カム面７６ａを反押圧方向Ｘｏに押圧する。これにより、図１７（ｃ）に示すように、押しボタン４０の内カム面７６ａにより案内されることで、回転子７０が反押圧方向Ｘｏに動きつつ正転方向Ｐｒに回転する。
【００５０】
押しボタン４０の押圧操作を解除すると、第１付勢部材６６及び第２付勢部材７２の付勢力により、回転子７０のカム受け面７６ｃが受け部材６８の外カム面７６ｂを反押圧方向Ｘｏに押圧する。これにより、図１７（ｄ）に示すように、受け部材６８の内カム面７６ａにより案内されることで、回転子７０が反押圧方向Ｘｏに動きつつ正転方向Ｐｒに回転する。このように、運動変換機構７６は、回転子７０のＸ方向での動きを回転子７０の回転に変換する。
【００５１】
以上の動作を経ることで、押しボタン４０が押圧操作を受ける毎に、回転子７０は、前述の第２角度の分だけ回転する。回転子７０が第２角度の分だけ回転する毎に、受け部材６８の複数の回転規制凹部７４Ａ、７４Ｂの周方向での並び順に応じた順番で、回転子７０の被規制部７０ｃが内側に配置される回転規制凹部７４Ａ、７４Ｂが切り替わる。回転子７０は、第２付勢部材７２の付勢力によって、回転規制凹部７４Ａ、７４Ｂの底部に被規制部７０ｃが当たる位置で保持され、その回転規制凹部７４Ａ、７４Ｂの深さに対応する保持位置で保持される。つまり、図１７（ａ）、（ｄ）に示すように、回転子７０が第２角度の分だけ回転する毎に、回転子７０のＸ方向での保持位置が切り替わる。受け部材６８は、第２付勢部材７２と協働して、回転子７０の回転位置に応じてＸ方向での異なる保持位置に回転子７０を保持しているといえる。回転子７０の保持位置の切り替えにより、押しボタン４０のＸ方向での保持位置も切り替えられる。
【００５２】
図１８は、押しボタン４０が押圧操作を受けている途中状態を示す図である。押しボタン４０が押圧操作を受ける毎に、回転子７０と一体的に移動体７８が押圧方向Ｘｐに押圧される。これにより、移動体７８の可動弁体３６は固定弁体５０から離れる方向である押圧方向Ｘｐに動かされる。移動体７８は、第１付勢部材６６の付勢力に抗して押圧方向Ｘｐに動かされる。
【００５３】
押しボタン４０の押圧操作に伴い回転子７０が正転方向に回転すると、回転子７０と一体的に移動体７８が回転する。押しボタン４０による押圧方向Ｘｐでの押圧が解除されると、図４に示すように、第１付勢部材６６の付勢力により、移動体７８が固定弁体５０に近づく方向である反押圧方向Ｘｏに動かされ、移動体７８の可動弁体３６が固定弁体５０に着座する。これにより、後述のように、水栓装置１２の動作状態が変更される。このように、位置切替機構６２は、押しボタン４０が押圧操作を受ける毎に、可動弁体３６を固定弁体５０から離れる方向に移動させてから回転させることが可能である。
【００５４】
ここで、移動体７８は、図４、図１２に示すように、押しボタン４０の保持位置によらず、第１付勢部材６６によりＸ方向において定位置に保持される。これは、押しボタン４０が押圧操作を受けていない状態のときに満たされる。本実施形態での定位置とは、移動体７８の可動弁体３６が固定弁体５０に着座することで、固定弁体５０との間を可動弁体３６がシールする位置をいう。
【００５５】
このような条件を満たすため、回転子７０と移動体７８のＸ方向での相対位置は、押しボタン４０のＸ方向での保持位置に応じて変化する。詳しく説明する。押しボタン４０は、図４に示すような第１保持位置Ｐａ１と、図１２に示すような第２保持位置Ｐａ２との間を移動可能である。第１保持位置Ｐａ１は、複数の保持位置Ｐａ１、Ｐａ２のなかで最も押圧方向Ｘｐに位置している。第２保持位置Ｐａ２は、第１保持位置Ｐａ１にあるときより反押圧方向Ｘｏに位置が変化する。
【００５６】
このとき、押しボタン４０の第１保持位置Ｐａ１からの反押圧方向Ｘｏでの保持位置の変化量が大きくなるほど、回転子７０と移動体７８のシャフト６４のＸ方向での間隔が大きくなるように、それらの相対位置が変化する。これにより、押しボタン４０の保持位置が変化したとき、回転子７０と移動体７８の相対位置が変化することで、移動体７８を定位置に保持できる。
【００５７】
本実施形態のように回転子７０とシャフト６４の間に第２付勢部材７２を配置する場合、第２付勢部材７２の押圧方向Ｘｐへの付勢力が移動体７８に伝達される。本実施形態では、第２付勢部材７２の付勢力が第１付勢部材６６の付勢力より小さくなるように設定している。これにより、押しボタン４０が保持位置に保持されるとき、第２付勢部材７２の押圧方向Ｘｐの付勢力が第１付勢部材６６の反押圧方向Ｘｏの付勢力に打ち勝ってしまうことで、移動体７８が押圧方向Ｘｐに動く事態を避けられる。
【００５８】
以上の操作装置１０の効果を説明する。操作装置１０は、押しボタン４０が押圧操作を受ける毎に、Ｘ方向での位置を切り替え可能に押しボタン４０を保持する位置切替機構６２を備える。よって、後述のように、押しボタン４０により選択されている押しボタン４０による操作対象の動作状態を、押しボタン４０の保持位置によって表示できる。
【００５９】
また、押しボタン４０の保持位置を切り替え可能な位置切替機構６２を操作装置１０に組み込む場合に、押しボタン４０の保持位置によらず移動体７８を定位置に保持できるようになるため、設計上の自由度の向上を図れる。
【００６０】
移動体７８の可動弁体３６は、押しボタン４０の保持位置によらず、固定弁体５０に着座する位置に保持される。よって、押しボタン４０の保持位置によって押しボタン４０による操作対象（水栓装置１２）の動作状態を表示しつつ、可動弁体３６により固定弁体５０との間をシールした状態を維持できる。
【００６１】
また、押しボタン４０の押圧方向Ｘｐでの動きに連動して、可動弁体３６を固定弁体５０から離れる押圧方向Ｘｐに動かすことが可能である。仮に、押しボタン４０が押圧操作を受けたとき、固定弁体５０に対する摺動を伴い可動弁体３６を回転させると、固定弁体５０と可動弁体３６との間の摩擦抵抗の影響を受ける。この点、本実施形態によれば、押しボタン４０が押圧操作を受けたときに、このような摩擦抵抗の影響を受けることなく、可動弁体３６を固定弁体５０から離すことができる。よって、可動弁体３６が固定弁体５０に固着したときでも、可動弁体３６を固定弁体５０から容易に引き離せる。
【００６２】
位置切替機構６２は、押しボタン４０が押圧操作を受ける毎に、押圧方向Ｘｐに移動させてから可動弁体３６を回転させることが可能である。よって、水栓装置１２の動作状態を変更する場合に、可動弁体３６と固定弁体５０の間の摩擦抵抗の影響を受けることなく、可動弁体３６を回転させることができる。
【００６３】
以上の操作装置１０の他の動作を説明する。図１９は、回転ハンドル３８の動作の説明図である。図１９（ａ）は、回転ハンドル３８によりストレート吐水が選択されている状態を示し、図１９（ｂ）は、回転ハンドル３８によりシャワー吐水が選択されている状態を示す。図１９の上段は、吐水部１６から吐き出される水を示し、図１９の下段は、可動弁体３６と固定弁体５０の位置関係を示す。図２０も同様である。本図では、可動弁体３６の回転位置を示すために可動弁体３６に原点Ｐｏを付す。
【００６４】
本実施形態の連動機構６０は、回転ハンドル３８の回転に連動して、可動弁体３６を第１回転態様で回転させる。可動弁体３６は、回転ハンドル３８の回転に連動して回転するとき、不図示の回転制限機構により、所定の第１角度θ１の範囲に回転可能範囲が制限されている。本実施形態の第１回転態様とは、このように所定の第１角度θ１の範囲に可動弁体３６の回転可能範囲が制限されているもと、回転ハンドル３８の回転量に応じた回転量で可動弁体３６を回転させることである。本例では第１角度θ１＝４５°である。
【００６５】
可動弁体３６は、第１回転態様で回転することによって、複数の下流側水路３２Ａ、３２Ｂのなかからいずれかの下流側水路３２Ａ、３２Ｂに特定種の通水孔５８Ａ、５８Ｂの連通先を切り替える。これにより、可動弁体３６は、吐水部１６から吐き出される水が、ストレート吐水とシャワー吐水の間で切り替わるように、水栓装置１２の動作状態を択一的に切り替える。このように、可動弁体３６は、回転ハンドル３８の回転に連動して、水栓装置１２の動作状態を第１変更態様で変更させる。
【００６６】
図２０は、押しボタン４０の動作の説明図である。図２０（ａ）は、押しボタン４０により原水Ｗａが選択されている状態を示し、図２０（ｂ）は、押しボタン４０により改質水Ｗｂが選択されている状態を示す。
【００６７】
本実施形態の連動機構６０は、押しボタン４０のＸ方向での動きに連動して、可動弁体３６を第２回転態様で回転させる。本実施形態の第２回転態様とは、押しボタン４０が押圧操作を受ける毎に、所定の第２角度θ２で周方向の一方側に可動弁体３６を回転させることである。第２角度θ２は、円周をＮ等分する角度であって、第１角度θ１より大きい角度である。Ｎは２以上の自然数であり、本例ではＮ＝４、第２角度θ２＝９０°である。
【００６８】
この第２角度θ２は、複数種の通水孔５８Ａ、５８Ｂの位置と対応している。詳しくは、複数種の通水孔５８Ａ、５８Ｂは第２角度θ２を空けた箇所毎に位置するように並べられる。これにより、可動弁体３６を角度θ２で回転させる毎に、複数種の通水孔５８Ａ、５８Ｂの並び順に応じた順番で、複数の下流側水路３２Ａ、３２Ｂのうち特定の下流側水路３２Ａ、３２Ｂに連通する通水孔５８Ａ、５８Ｂが切り替わる。
【００６９】
可動弁体３６は、第２回転態様で回転することによって、複数の上流側水路３０Ａ、３０Ｂのなかからいずれかの上流側水路３０Ａ、３０Ｂに、給水路３０において水が流れる通水経路を切り替える。これにより、可動弁体３６は、吐水部１６から吐き出される水が、原水Ｗａと改質水Ｗｂとの間で切り替わるように、水栓装置１２の動作状態を択一的に切り替える。このように、可動弁体３６は、押しボタン４０のＸ方向での動きに連動して、水栓装置１２の動作状態を第１変更態様とは異なる第２変更態様で変更させる。
【００７０】
以上の操作装置１０の押しボタン４０は、図６に示すように、回転ハンドル３８の内部空間３８ａを反押圧方向Ｘｏから覆う位置に設けられる。よって、押しボタン４０や回転ハンドル３８による操作対象となる水栓装置１２の動作状態を変更するにあたり、ユーザにより操作される箇所を回転ハンドル３８の近くに集約できる。このため、ユーザが腕を大きく動かすことなく回転ハンドル３８や押しボタン４０を操作でき、ユーザの操作性が良好となる。
【００７１】
水栓装置１２の動作状態の第１変更態様による変更操作に用いる箇所と、第２変更態様による変更操作に用いる箇所とが、個別の操作体（回転ハンドル３８、押しボタン４０）に分けられている。よって、これらの変更操作に用いる箇所を単数の操作体に担わせる場合と比べ、ユーザにとって操作体により変更される対象が分かり易くなり、ユーザの操作性が良好となる。
【００７２】
なお、前述のように、押しボタン４０は、押圧操作を受けて前述の保持位置Ｐａ１、Ｐａ２から動作位置Ｐｂ（図１８参照）まで移動した後、押圧操作が解除されることによって、可動弁体３６の回転を伴い水栓装置１２の動作状態を変更可能である。ここでの動作位置Ｐｂとは、回転子７０が前述の規制解除位置にあるときに押しボタン４０が位置する箇所をいう。
【００７３】
押しボタン４０は、このような動作位置Ｐｂに位置するとき、回転ハンドル３８の先端開口部３８ｂから反押圧方向Ｘｏの外側に少なくとも一部がはみ出すように設けられる。この利点を説明する。たとえば、ユーザの手のひらや手の甲等のような、回転ハンドル３８の先端開口部３８ｂより大きい操作箇所で押しボタン４０を押圧操作する場合を考える。この場合に、押しボタン４０を保持位置Ｐａ１、Ｐａ２から動作位置Ｐｂに移動させるまでの間に、回転ハンドル３８の先端開口部３８ｂと前述の操作箇所の間で干渉が生じ難くなる。これに伴い、押しボタン４０の操作性が良好となる。
【００７４】
同様の効果を得る観点から、押しボタン４０の反押圧方向Ｘｏの先端４０ｆは、前述の動作位置Ｐｂに位置するとき、径方向から見て、回転ハンドル３８の先端開口部３８ｂと重なる位置に設けられていてもよい。押しボタン４０は、回転ハンドル３８の先端開口部３８ｂからはみ出していなくともよいということである。
【００７５】
また、図６に示すように、本実施形態の押しボタン４０の端面部４０ａは反押圧方向Ｘｏに向かって凸となる曲面状をなす。詳しくは、本実施形態の端面部４０ａは反押圧方向Ｘｏに向かって凸となる球面状をなす。端面部４０ａがなす曲面の反押圧方向Ｘｏでの先端４０ｆは端面部４０ａの中央部に設けられる。ここでの端面部４０ａの中央部４０ｇとは、押しボタン４０を押圧方向Ｘｐに見たとき、端面部４０ａの中央に位置する箇所をいう。
【００７６】
これにより、押しボタン４０の端面部４０ａが押圧方向Ｘｐに向かって凹となる曲面状をなす場合と比べ、その端面部４０ａの中央部４０ｇを押圧方向Ｘｐに沿って真っ直ぐに押圧し易くなる。これに伴い、押しボタン４０から移動体７８に荷重を伝達し易くなり、押しボタン４０の操作性が良好となる。
【００７７】
操作装置１０の他の特徴を説明する。図２１は、押しボタン４０の保持位置と操作対象（水栓装置１２）の動作状態との関係を示す図である。図２１（ａ）は、水栓装置１２の動作状態が原水Ｗａの吐き出しである状態を示し、図２１（ｂ）は、水栓装置１２の動作状態が改質水Ｗｂの吐き出しである状態を示す。押しボタン４０は、図２１の上段は、吐水部１６から吐き出される水を示し、図２１の下段は、押しボタン４０や回転ハンドル３８の平面視での位置を示す。図２２も同様である。
【００７８】
位置切替機構６２は、押しボタン４０により変更される操作対象の動作状態に応じた複数の異なる保持位置に押しボタン４０を保持する。本実施形態の押しボタン４０は、原水Ｗａの吐き出しと改質水Ｗｂの吐き出しとの間で、水栓装置１２の動作状態を変更する。押しボタン４０は、水栓装置１２が原水Ｗａを吐き出している状態のときに第１保持位置Ｐａ１に配置され、水栓装置１２が改質水Ｗｂを吐き出している状態のときに第２保持位置Ｐａ２に配置される。
【００７９】
押しボタン４０は、第２保持位置Ｐａ２にあるとき、第１保持位置Ｐａ１にあるときより、回転ハンドル３８の先端開口部３８ｂ（図４も参照）からの突出量が大きくなる。これにより、押しボタン４０の保持位置を用いて、押しボタン４０により選択されている操作対象の動作状態を表示可能となる。
【００８０】
図２２は、回転ハンドル３８の保持位置と操作対象（水栓装置１２）の動作状態との関係を示す図である。図２２（ａ）は、水栓装置１２の動作状態がストレート吐水であるときの回転ハンドル３８を示し、図２２（ｂ）は、水栓装置１２の動作状態がシャワー吐水であるときの回転ハンドル３８を示す。
【００８１】
水栓本体１４の第１筒状部４３ａは、回転ハンドル３８により変更可能な水栓装置１２の動作状態を表示する状態表示部８０Ａ、８０Ｂを有する。状態表示部８０Ａ、８０Ｂは、凹部や凸部の凹凸構造や、模様や色彩の違いを用いて、ピクトグラム、文字等の記号の表示態様により水栓装置１２の動作状態を表示する。本実施形態の回転ハンドル３８による変更対象は、水栓装置１２の吐水部１６の吐水態様である。状態表示部８０Ａ、８０Ｂには、水栓装置１２の動作状態がストレート吐水であることを示す第１状態表示部８０Ａと、水栓装置１２の動作状態がシャワー吐水であることを示す第２状態表示部８０Ｂとが含まれる。本実施形態の状態表示部８０Ａ、８０Ｂは第１筒状部４３ａの外周面に設けられる。
【００８２】
回転ハンドル３８は、状態表示部８０Ａ、８０Ｂと協働して、回転ハンドル３８により選択されている水栓装置１２の動作状態を特定するための状態特定部８２を有する。本実施形態の状態特定部８２は、回転ハンドル３８の外周面に設けられる。状態特定部８２は、凹部や凸部の凹凸構造や、模様や色彩の違いを用いて構成される。本実施形態の状態特定部８２は回転ハンドル３８の外周面に設けられた滑り止め構造のない箇所により構成される。本実施形態の状態特定部８２は、状態表示部８０Ａ、８０ＢとＸ方向に重なる位置に配置されることで、複数の状態表示部８０Ａ、８０Ｂのなかから一つの状態表示部８０Ａ、８０Ｂを特定する機能を果たす。状態特定部８２により特定される状態表示部８０Ａ、８０Ｂは、回転ハンドル３８により選択されている水栓装置１２の動作状態を示す。
【００８３】
（Ａ）これにより、回転ハンドル３８の近くの押しボタン４０の保持位置をみれば、押しボタン４０により選択されている水栓装置１２の動作状態を把握できる。また、回転ハンドル３８の近くの状態特定部８２をみれば、回転ハンドル３８により選択されている水栓装置１２の動作状態を把握できる。つまり、回転ハンドルの近くをみるだけで、回転ハンドル３８や押しボタン４０により選択されている、回転ハンドル３８や押しボタン４０による操作対象となる水栓装置１２の動作状態を容易に把握できる。
【００８４】
図６に戻り、押しボタン４０は、回転ハンドル３８の内側に配置される内側部材８４と、内側部材８４に対して先端側に配置されて外部に露出する外側部材８６とを有する。本実施形態において、前述の押しボタン４０の端面部４０ａは内側部材８４と外側部材８６が構成し、中空軸部４０ｂは内側部材８４が構成する。内側部材８４と外側部材８６は、互いにＸ方向に対向する箇所に設けられた凹部と凸部の圧入を伴う嵌め合い等を用いて一体化される。内側部材８４は、押しボタン４０の保持位置によらず、回転ハンドル３８により少なくとも一部が覆われている。外側部材８６は、押しボタン４０の保持位置によらず、その外周面や反押圧方向Ｘｏの端面の少なくとも一部が外部に露出している。
【００８５】
押しボタン４０の外周壁部は、第１保持位置Ｐａ１にあるとき、回転ハンドル３８の内側に配置される内側意匠部４０ｄと、回転ハンドル３８の外側に露出する外側意匠部４０ｅとを有する。内側意匠部４０ｄは、図２１に示すように、第２保持位置Ｐａ２にあるとき、回転ハンドル３８の先端開口部３８ｂからはみ出しており、回転ハンドル３８の外側に露出する。本実施形態の内側意匠部４０ｄは内側部材８４が構成し、外側意匠部４０ｅは外側部材８６が構成する。内側意匠部４０ｄと外側意匠部４０ｅとは、形状、模様及び色彩の少なくとも一つが異なるように設けられる。本実施形態においては、外側意匠部４０ｅにはステンレス調の銀色の色彩が設けられ、内側意匠部４０ｄには青色の色彩が設けられる。これにより、押しボタン４０の保持位置の違いを把握し易くなり、押しボタン４０により選択されている水栓装置１２の動作状態を把握し易くなる。
【００８６】
（第２の実施の形態）
図２３は、第２実施形態の位置切替機構６２の一部を図１５と同じ視点から見た図である。本実施形態の回転規制凹部７４Ａ、７４Ｂ、７４Ｃには、第１回転規制凹部７４Ａ、第２回転規制凹部７４Ｂの他に、基端側の入口から先端側の底部までの深さが第３深さの第３回転規制凹部７４Ｃが含まれる。第３回転規制凹部７４Ｃの第３深さは、第２回転規制凹部７４Ｂの第２深さより大きくなる。これにより、位置切替機構６２は、回転子７０の回転位置に応じた押しボタン４０のＸ方向での保持位置を３段階に切り替え可能となる。このため、押しボタン４０による操作対象の動作状態の表示数を増やすことができる。
【００８７】
このように、位置切替機構６２による押しボタン４０の保持位置の切り替え数は２段階以上であればよく、その具体的な切り替え数は特に限定されない。
【００８８】
（第３の実施の形態）
図２４は、第３実施形態の位置切替機構６２の一部を図１５と同じ視点から見た図である。回転規制凹部７４Ａ、７４Ｂは、図１５、図２３の例では、カム溝６８ｃが構成する例を説明した。この他にも、図２４に示すように、回転規制凹部７４Ｄは、外カム面７６ｂの正転方向Ｐｒ側の端部から基端側に延びる段差面と外カム面７６ｂが構成してもよい。
【００８９】
なお、図１５の例のように、回転規制凹部はカム溝６８ｃが構成する場合、カム溝６８ｃの内側面に対して回転子７０の被規制部７０ｃがしっかりと接触でき、回転子７０の回転を安定して規制できる利点がある。また、図２４の例のように、回転規制凹部は外カム面７６ｂが構成する場合、回転子７０のＸ方向でのストローク量を小さくでき、回転子７０のＸ方向での寸法の小型化を図れる利点がある。
【００９０】
（第４の実施の形態）
図２５は、第４実施形態の押しボタン４０を図２１と同じ視点から見た図である。図２５（ａ）は、水栓装置１２の動作状態が原水Ｗａの吐き出しである例を示し、図２５（ｂ）は、水栓装置１２の動作状態が改質水Ｗｂの吐き出しである例を示す。図２１の押しボタン４０の外側意匠部４０ｅと内側意匠部４０ｄとは色彩が異なるように設けられる例を説明した。図２５に示す例では、外側意匠部４０ｅと内側意匠部４０ｄとは形状が異なるように設けられる。詳しくは、外側意匠部４０ｅは小外径部が構成し、内側意匠部４０ｄは小外径部より外径が大きい大外径部が構成する。
【００９１】
以上、実施形態をもとに本発明を説明した。次に、各構成要素の変形例を説明する。
【００９２】
水栓本体１４のスパウト部１８は、単数の筒状部のみを有していてもよい。操作装置１０の装置本体４２は水栓本体１４が兼ねる例を説明したが、水栓本体１４とは別体に設けられていてもよい。この場合、装置本体４２は、押しボタン４０が内部空間を外側から覆う位置に設けられる第１筒状部４３ａを有していればよい。装置本体４２には回転ハンドル３８が設けられていなくともよい。
【００９３】
可動弁体３６を用いた水栓装置１２の動作状態の変更態様は、吐水部１６の吐水態様の切り替え、吐水部１６から吐き出される水の切り替えを例に説明した。この変更態様は、水栓装置１２の動作状態を変更させるものであればよく、これらの例に限定されない。たとえば、変更態様は、吐水部１６から吐き出される水の流量や温度の変更でもよいし、吐水部１６の吐水状態と止水状態の間での切り替えでもよい。また、変更態様は、水栓装置１２が複数の吐水部１６を備える場合、水を吐き出している吐水部１６の切り替えでもよい。
【００９４】
可動弁体３６は、複数の水路のなかからいずれかの水路に通水経路を切り替えるのではなく、単数の水路の開度を変更することで、水栓装置１２の動作状態を変更してもよい。これは、たとえば、水栓装置１２の動作状態の変更態様が、吐水部１６から吐き出される水の流量や温度の変更である場合である。
【００９５】
可動弁体３６は、押しボタン４０の動きに連動して回転する例を説明した。押しボタン４０に連動する可動弁体３６の動き方は特に限定されない。可動弁体３６は、たとえば、押しボタン４０の動きに連動して直動してもよい。押しボタン４０は、内側部材８４と外側部材８６を有する例を説明したが、一体成形品が構成していてもよい。
【００９６】
位置切替機構６２は、スラストロック機構を例に説明したが、その具体例は特に限定されない。位置切替機構６２は、たとえば、ハートカム機構、回転カム機構、ラチェットカム機構等でもよい。運動変換機構７６はカム機構に限定されず、ラックアンドピニオン等の歯車機構でもよい。
【００９７】
第２付勢部材７２は、回転子７０とシャフト６４の間に配置される例を説明したが、回転子７０を反押圧方向Ｘｏに付勢可能な位置に配置されていればよい。たとえば、第２付勢部材７２は、内部本体部品４４の機構収容部４８ｂの底面部と回転子７０との間に配置されていてもよい。
【００９８】
移動体７８は、可動弁体３６とシャフト６４を有する例を説明したが、その具体例は特に限定されない。移動体７８は、押しボタン４０の押圧方向Ｘｐでの動きに連動して押圧方向Ｘｐに移動する例を説明したが、その移動方向は特に限定されない。たとえば、押しボタン４０の押圧方向Ｘｐでの動きに連動して移動体７８は反押圧方向Ｘｏに移動してもよい。この場合でも、移動体７８の可動弁体３６は、押しボタン４０の押圧方向Ｘｐでの動きに連動して、位置切替機構６２の構成部品と一体的に固定弁体５０から離れる方向（反押圧方向Ｘｏ）に移動してもよい。この場合でも、第１付勢部材６６は、押しボタン４０の押圧方向Ｘｐでの動きに連動した移動体７８の移動方向とは反対側（押圧方向Ｘｐ）に移動体７８を付勢可能であればよい。いずれにしても、移動体７８は、押しボタン４０の押圧方向Ｘｐでの動きに連動する移動方向とかかわりなく、押しボタン４０の保持位置によらず、第１付勢部材６６によりＸ方向で定位置に保持されていればよい。
【００９９】
前述の効果（Ａ）を得るうえで、装置本体４２の第１筒状部４３ａではなく回転ハンドル３８が状態表示部８０Ａ、８０Ｂを有し、回転ハンドル３８ではなく装置本体４２の第１筒状部４３ａが状態特定部８２を有していてもよい。また、状態表示部８０Ａ、８０Ｂは複数ではなく単数でもよい。これは、可動弁体３６が水の流量や温度を連続的に変更させる場合に、その流量や温度をレベルメータ等のメータを用いて表示する場合を想定している。いずれの場合でも、状態表示部８０Ａ、８０Ｂと協働して、回転ハンドル３８により選択されている水栓装置１２の動作状態を特定できればよい。単数の状態表示部８０Ａ、８０Ｂがメータの場合、状態特定部８２はメータのレベルを特定する指針が構成してもよい。
【０１００】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【０１０１】
以上の実施形態、変形例により具体化される発明を一般化すると、以下の技術的思想が導かれる。以下、発明が解決しようとする課題に記載の態様を用いて説明する。
【０１０２】
第２態様の操作装置は、第１態様において、前記移動体は、可動弁体を有し、本操作装置は、前記可動弁体が着座可能な固定弁体を備え、前記定位置は、前記可動弁体が前記固定弁体に着座する位置であってもよい。
この態様によれば、押圧保持体の保持位置によって押圧保持体による操作対象の動作状態を表示しつつ、可動弁体により固定弁体との間をシールした状態を維持できる。
【０１０３】
第３態様の操作装置は、第２態様において、前記可動弁体は、自らが回転することによって、前記水栓装置の動作状態を変更可能であり、前記位置切替機構は、前記押圧操作体が押圧操作を受ける毎に、前記固定弁体から離れる方向に移動させてから前記可動弁体を回転させることが可能であってもよい。
この態様によれば、水栓装置の動作状態を変更する場合に、可動弁体と固定弁体との間の摩擦抵抗の影響を受けることなく、可動弁体を回転させることができる。
【０１０４】
第４態様の操作装置は、第１から第３態様のいずれかにおいて、回転操作を受けて回転可能な回転操作体を備え、前記押圧操作体は、前記回転操作体の内部空間を前記回転操作体の回転軸方向の片側から覆う位置に設けられてもよい。
この態様によれば、押圧操作体や回転操作体による操作対象の動作状態を変更するにあたり、ユーザにより操作される箇所を回転押圧体の近くに集約できる。このため、ユーザが腕を大きく動かすことなく回転操作体や押圧操作体を操作でき、ユーザの操作性が良好となる。
【０１０５】
第５態様の操作装置は、第４態様において、前記回転操作体が設けられる筒状部を有する装置本体を備え、前記押圧操作体は、前記押圧操作を受けて前記第１方向に動くことによって、前記水栓装置の動作状態を変更させることが可能であり、前記回転操作体は、前記回転操作を受けて回転することによって、前記水栓装置の動作状態を変更させることが可能であり、前記回転操作体及び前記筒状部の一方は、前記回転操作体により変更可能な前記水栓装置の動作状態を表示する状態表示部を有し、前記回転操作体及び前記筒状部の他方は、前記状態表示部と協働して、前記回転操作体により選択されている前記水栓装置の動作状態を特定するための状態特定部を有してもよい。
この態様によれば、回転操作体の近くをみるだけで、押圧操作体や回転操作体により選択されている操作対象の動作状態を容易に把握できる。
【０１０６】
第６態様の操作装置は、第１から第５態様のいずれかにおいて、前記構成部品と前記移動体の前記第１方向での相対位置は、前記押圧操作体の前記第１方向での保持位置に応じて変化してもよい。
この態様によれば、押圧保持体の保持位置が変化したとき、位置切替機構の構成部品と移動体の相対位置が変化することで、移動体を定位置に保持できる。
【０１０７】
第７態様の操作装置は、第１から第６態様のいずれかにおいて、前記位置切替機構は、前記押圧操作体の保持位置を３段階以上に切り替え可能であってもよい。
この態様によれば、押圧操作体による操作対象の動作状態の表示数を増やすことができる。
【０１０８】
第８態様の操作装置は、第１から第７態様のいずれかにおいて、前記移動体の押圧方向側の一部を収容する第１収容部と、前記押圧方向とは反対側の反押圧方向側の前記移動体の一部を収容する第２収容部と、を有する装置本体を備え、前記第１付勢部材は、前記第１収容部内に配置されてもよい。
【０１０９】
第９態様は、第１から第８態様のいずれかの操作装置を備える水栓装置である。
【符号の説明】
【０１１０】
１０…操作装置、１２…水栓装置、３６…可動弁体、３８…回転ハンドル（回転操作体）、３８ａ…内部空間、４０…押しボタン（押圧操作体）、４２…装置本体、５０…固定弁体、５６Ａ、５６Ｂ…弁孔、６２…位置切替機構、６６…第１付勢部材、６８…受け部材、７８…移動体、８０Ａ、８０Ｂ…状態表示部、８２…状態特定部。
【図１】
2019173438.tif 000003
【図２】
2019173438.tif 000004
【図３】
2019173438.tif 000005
【図４】
2019173438.tif 000006
【図５】
2019173438.tif 000007
【図６】
2019173438.tif 000008
【図７】
2019173438.tif 000009
【図８】
2019173438.tif 000010
【図９】
2019173438.tif 000011
【図１０】
2019173438.tif 000012
【図１１】
2019173438.tif 000013
【図１２】
2019173438.tif 000014
【図１３】
2019173438.tif 000015
【図１４】
2019173438.tif 000016
【図１５】
2019173438.tif 000017
【図１６】
2019173438.tif 000018
【図１７】
2019173438.tif 000019
【図１８】
2019173438.tif 000020
【図１９】
2019173438.tif 000021
【図２０】
2019173438.tif 000022
【図２１】
2019173438.tif 000023
【図２２】
2019173438.tif 000024
【図２３】
2019173438.tif 000025
【図２４】
2019173438.tif 000026
【図２５】
2019173438.tif 000027